(57)【要約】【課題】  遊技球が遊技領域へ飛び出す際には遊技球に対する抵抗が少なくスムーズに飛び出すことができ、遊技球が遊技領域から逆戻りしてきた際には遊技領域の入賞の可能性の高い方向へ再び導くことが可能な球戻り防止装置を備えた遊技機の提供を課題とする。【解決手段】  発射装置により発射された遊技球Ｑを誘導領域１３の飛び出し口１４から遊技領域２に飛び出させて遊技領域２での遊技に供すると共に、遊技領域２に一旦飛び出した遊技球Ｑが誘導領域１３に逆戻りするのを防止するための球戻り防止装置１００を飛び出し口１４付近に備えた遊技機であって、球戻り防止装置１００は、遊技盤１に支持されて揺動する揺動基体１２０に対して飛び出し口１４から遊技領域２に飛び出す遊技球Ｑに接触する第１片１１１と遊技領域２から飛び出し口１４へ逆戻りしてくる遊技球Ｑを制止する第２片１１２との対からなる球戻り防止片１１０を備えている。【選択図】      図１
2006136394.tif 000002
【特許請求の範囲】
【請求項１】
発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための球戻り防止装置を前記飛び出し口付近に備えた遊技機であって、前記球戻り防止装置は、遊技盤に支持されて揺動する揺動基体に対して前記飛び出し口から遊技領域に飛び出す遊技球に接触する第１片と前記遊技領域から飛び出し口へ逆戻りしてくる遊技球を制止する第２片との対からなる球戻り防止片を備えていることを特徴とする球戻り防止装置を備えた遊技機。
【請求項２】
第１片には縦スリットを形成し、第２片には横スリットを形成していることを特徴とする請求項１に記載の球戻り防止装置を備えた遊技機。
【請求項３】
第１片と第２片との間に弾性部材を備え、第２片に逆戻りしてきた遊技球に対する弾き返しの弾力性を付加したことを特徴とする請求項１又は２に記載の球戻り防止装置を備えた遊技機。
【請求項４】
球戻り防止片の少なくとも第１片は、揺動基体に対して着脱自在に取り付けると共に、表裏を裏返して取り付けることができるように構成してあることを特徴とする請求項１〜３の何れかに記載の球戻り防止装置を備えた遊技機。
【発明の詳細な説明】
【技術分野】
【０００１】
本発明は遊技領域に一旦飛び出した遊技球が飛び出し口から誘導領域に逆戻りするのを防止する球戻り防止装置を備えた遊技機に関する。
【背景技術】
【０００２】
従来、誘導領域を介して遊技領域へ打ち込まれた遊技球が誘導領域へ逆行する、いわゆる球戻りを防止する球戻り防止装置を備えた遊技機が提供されている。球戻り防止装置は、誘導領域から飛び出し口を経て遊技領域へ飛び出す遊技球に対しては極力その方向や力を変えないようにスムーズに打ち出すことができ、逆に遊技領域から飛び出し口を経て誘導領域に逆行しようとする遊技球に対してはこれを制止して球戻りを防止する構成となされている。
従来の球戻り防止装置としては、例えば特開平６−１９８０２７号公報に示すように、金属片等からなる１枚の球戻り防止片を遊技球の飛び出し口に設けたものが開示されている。
【特許文献１】特開平６−１９８０２７号公報
【発明の開示】
【発明が解決しようとする課題】
【０００３】
ところで球戻り防止装置においては、遊技球の飛び出し口に配設される球戻り防止片は、誘導領域から飛び出し口を経て遊技領域に飛び出す遊技球に対しては抵抗が少なくてスムーズに飛び出すことができるように機能するのが好ましく、逆に遊技領域から飛び出し口に逆戻りしてくる遊技球に対してはこれを再び遊技領域の中央方向へ復帰させるような機能が期待される。
しかし上記特許文献１のような１枚の戻り球防止片だけを備えた球戻り防止装置では、飛び出し口から飛び出そうとする遊技球に対する機能と、飛び出し口へ逆戻りしてきた遊技球に対する機能の両機能を適切に発揮させることは困難であった。
【０００４】
そこで本発明は上記従来の遊技機の球戻り防止装置における問題を解消し、遊技球が遊技領域へ飛び出す際には遊技球に対する抵抗が少なくスムーズに飛び出すことができ、また遊技球が遊技領域から逆戻りしてきた際にはこれを遊技領域の入賞の可能性の高い方向へ再び導くことが可能な球戻り防止装置を備えた遊技機の提供を課題とする。
【課題を解決するための手段】
【０００５】
上記課題を達成するため、本発明の球戻り防止装置を備えた遊技機は、発射装置により発射された遊技球を誘導領域の飛び出し口から遊技領域に飛び出させて遊技領域での遊技に供すると共に、前記遊技領域に一旦飛び出した遊技球が前記誘導領域に逆戻りするのを防止するための球戻り防止装置を前記飛び出し口付近に備えた遊技機であって、前記球戻り防止装置は、遊技盤に支持されて揺動する揺動基体に対して前記飛び出し口から遊技領域に飛び出す遊技球に接触する第１片と前記遊技領域から飛び出し口へ逆戻りしてくる遊技球を制止する第２片との対からなる球戻り防止片を備えていることを第１の特徴としている。
また本発明の球戻り防止装置を備えた遊技機は、上記第１の特徴に加えて、第１片には縦スリットを形成し、第２片には横スリットを形成していることを第２の特徴としている。
また本発明の球戻り防止装置を備えた遊技機は、上記第１又は第２の特徴に加えて、第１片と第２片との間に弾性部材を備え、第２片に逆戻りしてきた遊技球に対する弾き返しの弾力性を付加したことを第３の特徴としている。
また本発明の球戻り防止装置を備えた遊技機は、上記第１〜第３の何れかに記載の特徴に加えて、球戻り防止片の少なくとも第１片は、揺動基体に対して着脱自在に取り付けると共に、表裏を裏返して取り付けることができるように構成してあることを第４の特徴としている。
【発明の効果】
【０００６】
請求項１に記載の球戻り防止装置を備えた遊技機によれば、誘導領域の飛び出し口から遊技領域へ向けて飛び出そうとする遊技球は、球戻り防止片の第１片に接触してこれを僅かに変形させ或いは動かして、遊技領域に飛び出す。一方、遊技領域から飛び出し口に逆戻りしてくる遊技球は、球戻り防止片の第２片に当たって制止される。従って第１片には、遊技球が飛び出す際に抵抗が少なくてスムーズに飛び出すことができるような材質や機構を専用的に施すことが好ましい。また第２片には、遊技球が逆戻りしてきた際にこれを制止し且つ遊技領域の中央方向の入賞の可能性の高い方向へ導くことができる材質や機構を専用的に施すことが好ましい。
よって請求項１に記載の球戻り防止装置を備えた遊技機によれば、第１片と第２片の対からなる球戻り防止片を備えているので、第１片を飛び出していく遊技球に対して適した材質、機構に、また第２片を逆戻りしてきた遊技球に対して適した材質、機構に構成することができ、よって飛び出していく遊技球及び逆戻りしてくる遊技球の何れの遊技球にも十分に対処することが可能で、１個１個の遊技球が無駄に消費されることがないものとすることが可能となる。
【０００７】
また請求項２に記載の球戻り防止装置を備えた遊技機によれば、第１片には縦スリットを形成しているので、誘導領域を通って飛び出し口から遊技領域に飛び出そうとしている遊技球が第１片に衝突した際に、縦スリットを形成した第１片は容易に変形、後退して、抵抗の少ない状態でスムーズな遊技球の通過を許容する。一方、第２片は横スリットを形成しているので、遊技領域から飛び出し口へ逆戻りしてきた遊技球が第２片に衝突した際に、これを下方に導くのではなく、再び前方である遊技領域の中央方向へ弾き返す能力をもって弾き返すことができる。
よって請求項２に記載の球戻り防止装置を備えた遊技機によれば、上記請求項１に記載の構成による効果に加えて、第１片は縦スリットを形成し、第２片は横スリットを形成していることで、遊技球をスムーズに遊技領域に飛び出させることができると共に、飛び出し口へ逆戻りしてきた遊技球を容易に遊技領域の中央方向へ導くことができる。
【０００８】
また請求項３に記載の球戻り防止装置を備えた遊技機によれば、飛び出し口へ逆戻りしてきた遊技球が第２片に衝突すると、第２片が押されて弾性部材を変形させることにより復元力を生じせしめる。よって次の瞬間に弾性部材が復元力を発揮して、第２片を押し返す。これによって第２片は、衝突してきた遊技球を大きく弾き返すことができる。
よって請求項３に記載の球戻り防止装置を備えた遊技機によれば、上記請求項１又は２に記載の構成による効果に加えて、第１片と第２片との間に弾性部材を備え、第２片に逆戻り遊技球に対する弾き返しの弾力性を付加したことにより、遊技球を第１片によってスムーズに遊技領域に飛び出させることができると共に、第２片によって飛び出し口へ逆戻りしてきた遊技球を効果的に弾き返して遊技領域の中央方向へ導くことができる。
【０００９】
また請求項４に記載の球戻り防止装置を備えた遊技機によれば、誘導領域を通って飛び出し口から飛び出す遊技球が次々と当たる第１片は、その衝突部分の消耗が激しいことから、寿命が短い。従って第１片を着脱自在とすることで、消耗した第１片だけを取り替えて使用に供することができる。更に第１片の表裏を裏返して取り付けることができるようにすることで、寿命を２倍にして使用することが可能となる。
よって請求項４に記載の球戻り防止装置を備えた遊技機によれば、上記請求項１〜３の何れかに記載の構成による効果に加えて、球戻り防止片の表裏を裏返して使用したり、着脱自在に取り替えたりすることができるので、球戻り防止片の寿命を延ばして長く使用することができ、結果として球戻り防止装置自体の寿命を延ばすことができる。
【発明を実施するための最良の形態】
【００１０】
以下の図面を参照して、本発明の第１の実施形態を説明する。
図１〜図４は本発明の第１の実施形態の遊技機に係り、図１はパチンコ遊技機の遊技盤の正面図、図２はパチンコ遊技機の球戻り防止装置の斜視図、図３は球戻り防止装置の分解斜視図、図４は球戻り防止装置の変形例を説明する斜視図である。
【００１１】
先ず図１を参照して、パチンコ遊技機の遊技盤１の中央には、遊技領域２が外レール３と内レール４を壁として外から区切られて略円形状の領域に構成されている。遊技領域２の中央付近には図柄等を変動表示することができるセンターケース５が設けられ、その下方には前記図柄等の変動を開始させる契機を与える始動入賞装置６が設けられている。また遊技領域２には、遊技球が通過するゲート７、普通入賞装置８、大入賞装置９、アウト口１０、風車１１、一部だけ図示した釘１２等の遊技要素が設けられている。
図示しない発射装置により発射された遊技球Ｑは、外レール３と内レール４との間に構成された誘導領域１３を通って、飛び出し口１４から遊技領域２に飛び出し、遊技に供される。球技球Ｑは遊技領域２内をその上部から下方へと遊技盤１面上を流下し、始動入賞装置６や普通入賞装置８、大入賞装置９に入賞し、入賞を逃した遊技球はアウト口１０に入る。入賞装置６、８、９に入賞すると、遊技球の払い出し等の所定の報償を受けることができる。
前記遊技盤１の左右両肩部には遊技領域２の外側にコーナーランプ１５が設けられている。
【００１２】
遊技領域２の左斜め上部の前記飛び出し口１４付近に、本発明に係る球戻り防止装置１００を配置している。
図２〜図３も参照して、球戻り防止装置１００は、第１片１１１と第２片１１２との一対からなる球戻り防止片１１０と、揺動基体１２０と、軸釘１３０を有する。
【００１３】
前記球戻り防止片１１０の第１片１１１と第２片１１２は、飛び出し口１４に配される部材で、何れも金属製等の帯板片で形成することができ、それぞれ別々に、その基端側の取付端部１１１ａ、１１２ａを前記揺動基体１２０の上部の取付溝１２１、１２２に嵌め込んで、着脱自在に片持ち固定状態に取り付けられている。第１片１１１、第２片１１２とも上端側は非接触の状態となっている。また第１片１１１と第２片１１２は略平行状態に配されている。
第１片１１１と第２片１１２からなる球戻り防止片１１０の先端部は、飛び出し口１４の位置に対応する外レール３に対して少しの間隙をもって配置されている。この間隙は遊技球Ｑの直径よりも小寸法として、飛び出し口１４に逆戻りしてくる遊技球Ｑが誘導領域１３内に入るのを阻止できるようになされている。
【００１４】
第１片１１１には、遊技球Ｑが当たる上半部に縦スリット１１１ｂを設けている。該縦スリット１１１ｂは先端に向けて開放するスリットとし、複数本設けることができる。縦スリット１１１ｂを設けることにより、該縦スリット１１１ｂが遊技球Ｑの飛び出し方向と平行にあるので、遊技球Ｑの衝突を受けた際に容易に変形し（曲がり）、よって抵抗の少ない状態で、スムーズに遊技球Ｑの通過を許容することができる。
【００１５】
第２片１１２には、遊技球Ｑが当たる上半部に横スリット１１２ｂを設けている。該横スリット１１２ｂは側辺に達することなく構成されており、複数本設けることができる。勿論、スリット１１２ｂの径は遊技球Ｑがすり抜けない寸法としている。横スリット１１２ｂを設けることにより、該横スリット１１２ｂが遊技球Ｑの逆戻り方向と直交する方向にあるので、遊技領域２から飛び出し口１４へ逆戻りしてきた遊技球Ｑを第２片１１２が受けた際に、遊技球Ｑが真下方向に落下し難い状況を作ることができる結果、遊技球Ｑを前方へ弾き返すことがより確実となり、飛び出し口１４へ逆戻りしてきた遊技球Ｑを遊技領域２の中央方向に導くことが可能となる。
【００１６】
前記揺動基体１２０は合成樹脂等で形成されると共に、前記球戻り防止片１１０の第１片１１１、第２片１１２を着脱自在に取り付けるための取付溝１２１、１２２を上部に設けており、また前記軸釘１３０を貫通させる軸孔１２３を設けている。そして軸孔１２３に軸釘１３０が差し込まれて遊技盤１に固定されることで、該軸釘１３０を中心に揺動基体１２０が揺動可能に保持される。
前記揺動基体１２０は錘の役割を果たし、通常時において前記球戻り防止片１１０を起立状態に保持している。
【００１７】
前記揺動基体１２０に対して着脱自在とした第１片１１１及び第２片１１２は、その表裏を対称状態に構成しており、表裏何れの面においても遊技球Ｑを受けることができるように構成している。このように構成することで、例えば頻繁に遊技球Ｑの衝突を受ける第１片１１１の片方の面が磨り減ってくる等、寿命がきた場合には、第１片１１１を一旦揺動基体１２０から取り外し、裏返して再度嵌め込むことで、他面にて引き続き良好な使用を継続することができる。
第２片１１２については、逆戻りしてくる遊技球Ｑの数はそんなに多くはないので、裏返して再取り付けする必要はあまりないと言えるが、寿命がくればそのように裏返して使用することもできる。
第１片１１１と第２片１１２とに機能別に分けて別々に設けることで、消耗の激しい第１片１１１だけを取り替えてゆくことで、球戻り防止片１１０全体としての寿命を延ばすことが可能である。球戻り防止片１１０を１枚の片で構成している場合は寿命が短くなる。
【００１８】
図４に球戻り防止装置１００の変形例を示す。この例では、球戻り防止片１１０の第１片１１３が既述した第１片１１１と形状を異にする。また揺動基体１２０の取付溝１２４が既述した揺動基体１２０の取付溝１２１と異なる。第２片１１２については変らない。
第１片１１３は長方形状の片からなり、その先端部と基端部を同じ寸法で相互に逆方向に適当な角度をもって折り曲げてなる取付端部１１３ａ、１１３ｂとしている。また取付端部１１３ａ、１１３ｂを除いた全体に縦スリット１１３ｃを複数本設けている。
前記先端部の取付端部１１３ａの折れ曲がり方向は、誘導領域１３を通って飛び出し口１４から飛び出す遊技球Ｑの飛び出し方向と同方向に揃えてある。
一方、揺動基体１２０の取付溝１２４に嵌め込まれて取り付けられる基端部の取付端部１１３ｂは、その折れ曲がり方向が前記先端部の取付端部１１３ａと反対であるが、第１片１１３自体を上下反対にすることで、先端部の取付端部１１３ａとなるのである。即ち、第１片１１３は上下の何れの取付端部１１３ａ、１１３ｂでも揺動基体１２０に取り付けることができ、これによって遊技球Ｑに対する当たり面を裏返すことができるので、一方の面における寿命がきた場合には上下を逆にして取り付け直せば、再び良好な機能を発揮することができ、寿命が２倍となる。
【００１９】
上記した第１の実施形態の構成による作用を、図１を参照して説明する。
図示しない発射装置から発射された遊技球Ｑは、誘導領域１３を通って飛び出し口１４から、球戻り防止片１１０の第１片１１１に衝突しながら遊技領域２に飛び出す。このとき第１片１１１には縦スリット１１１ｂが設けられていることで、遊技球Ｑは抵抗が少なくスムーズに飛び出すことができる。
遊技領域２に一旦飛び出した遊技球Ｑが、釘１２等に当たる結果、再び飛び出し口１４に逆行すると、遊技球Ｑが球戻り防止片１１０の第２片１１２に当たって制止される。このとき第２片１１２には横スリット１１２ｂが設けられていることで、遊技球Ｑが真下方向に落下することなく前方に弾き返され、遊技領域２の中央方向へ復帰することが可能となる。
図１を参照して更に述べると、従来の装置では、球の逆戻りを制止された遊技球Ｑは球戻り防止装置１００の直下からそのままＢ領域へ流下するしかなかった。しかもこのＢ領域に至る軌道においては、遊技球Ｑが重要な入賞口である始動入賞装置６へ入賞する可能性は極めて低い状態であった。
これに対して第１の実施形態の球戻り防止装置１００では、飛び出し口１４への逆戻りを制止された遊技球Ｑは、第２片１１２によって前方である遊技領域２の中央方向へ弾き返され、Ａ領域へ落下（流下）する。このため始動入賞装置６へ入賞する可能性が高くなる。
よって従来は入賞の期待が持てなかった逆戻り球に対しても入賞の期待を遊技者に与えることができ、興趣の向上に資することができる。
【００２０】
本発明の第２の実施形態を図５、図６を参照して説明する。
図５は球戻り防止装置１００に弾性部材を取り付けた様子を示す説明図、図６の（Ａ）、（Ｂ）、（Ｃ）は第２の実施形態に係るパチンコ遊技機において、逆戻り遊技球に対する作用を説明する図である。
なお第２の実施形態のパチンコ遊技機において、第１の実施形態のパチンコ遊技機における部材、要素と同一の機能を果たす部材、要素については、同一の符号を付して説明を省略する。
第２の実施形態においては、球戻り防止装置１００の揺動基体１２０の上部、球戻り防止片１１０の第１片１１１と第２片１１２との間に、弾性部材としてゴム部材１４０を設けている。
ゴム部材１４０の取付方法は特に限定しないが、取り替え自在に取り付けることができるようにする。ゴム部材１４０は少し第１片１１１よりに取り付けられるが、要するに第２片１１２に対して弾力性を付加するためのものであるので、弾力性を良好に付加できるような位置に取り付ける。
【００２１】
図６を用いて、第２の実施形態による作用を説明する。
図６の（Ａ）は遊技球Ｑが未だ逆戻り途上にある状態、即ち、球戻り防止装置１００が遊技球Ｑの作用を何ら受けていない状態を示す。この状態では、揺動基体１２０の作用により、球戻り防止片１１０が前記外レール３から少し離間した状態で、飛び出し口１４をほぼ閉止している。
図６の（Ｂ）は逆戻りしてきた遊技球Ｑが第２片１１２に当たり、該第２片１１２を若干押して後退させた状態を示す。この状態においては、ゴム部材１４０が圧縮されて復元力が生じ、結果として第２片１１２に弾力性を付加する。
その結果、図６の（Ｃ）に示すように、次の瞬間には第２片１１２がゴム部材１４０によって押し戻され、第２片１１２からの弾力性と相俟って、遊技球Ｑを前方へ弾き返す。
【００２２】
上記した第１、第２の実施形態ではパチンコ遊技機としたが、本発明の遊技機はパチンコ遊技機の他、発射された遊技球が誘導領域を経て飛び出し口から遊技領域に飛び出し、その遊技球が遊技領域を流下することで遊技が構成されるような遊技機にも適応するものである。
また上記において、ゴム部材１４０は必ずしもゴムである必要はない。弾力性を第２片１１２に付加することができるのであれば、バネ部材やその他の弾性部材であってよい。
【図面の簡単な説明】
【００２３】
【図１】本発明の第１の実施形態に係るパチンコ遊技機の遊技盤の正面図である。
【図２】第１の実施形態に係るパチンコ遊技機の球戻り防止装置の斜視図である。
【図３】第１の実施形態に係るパチンコ遊技機の球戻り防止装置の分解斜視図である。
【図４】第１の実施形態に係るパチンコ遊技機の球戻り防止装置の変形例を説明する斜視図である。
【図５】本発明の第２の実施形態に係るパチンコ遊技機の球戻り防止装置に弾性部材を取り付けた様子を示す斜視図である。
【図６】第２の実施形態に係るパチンコ遊技機の球戻り防止装置の作用を説明する図で、（Ａ）は遊技球が逆戻り途上にある状態を示し、（Ｂ）は遊技球が第２片に当たり、該第２片を若干押して後退させた状態を示し、（Ｃ）は第２片が遊技球を弾き返した状態を示す。
【符号の説明】
【００２４】
１        遊技盤
２        遊技領域
３        外レール
４        内レール
５        センターケース
６        始動入賞装置
７        ゲート
８        普通入賞装置
９        大入賞装置
１０      アウト口
１１      風車
１２      釘
１３      誘導領域
１４      飛び出し口
１５      コーナーランプ
１００    球戻り防止装置
１１０    球戻り防止片
１１１    第１片
１１１ａ  取付端部
１１１ｂ  縦スリット
１１２    第２片
１１２ａ  取付端部
１１２ｂ  横スリット
１１３    第１片
１１３ａ  取付端部
１１３ｂ  取付端部
１１３ｃ  縦スリット
１２０    揺動基体
１２１    取付溝
１２２    取付溝
１２３    軸孔
１２４    取付溝
１３０    軸釘
１４０    ゴム部材
Ａ、Ｂ    領域
Ｑ        遊技球
【図１】
2006136394.tif 000003
【図２】
2006136394.tif 000004
【図３】
2006136394.tif 000005
【図４】
2006136394.tif 000006
【図５】
2006136394.tif 000007
【図６】
2006136394.tif 000008